(57)【要約】【課題】無線ネットワークの製品開発コストを低減させることが可能なリムーバブル無線ネットワークカードを提供する。【解決手段】リムーバブル無線ネットワークカード２００は、ハウジング２１０と、インタフェースカード回路基板２２２を含む無線ネットワークのエクスプレスミニＰＣＩカードモジュール２２０と、子回路基板２３０と、インタフェースカード回路基板２２２と、子回路基板２３０とを接続する可撓性印刷配線基板２４０と、を備える。無線ネットワークのエクスプレスミニＰＣＩカードモジュール２２０、可撓性印刷配線基板２４０および子回路基板２３０は、ハウジング２１０中に配置されている。【選択図】図２
0003145966.tif 000002
【実用新案登録請求の範囲】
【請求項１】
ハウジングと、
インタフェースカード回路基板を含む無線ネットワークのエクスプレスミニＰＣＩカードモジュールと、
子回路基板と、
前記インタフェースカード回路基板と、前記子回路基板とを接続する可撓性印刷配線基板と、を備え、
前記無線ネットワークのエクスプレスミニＰＣＩカードモジュール、前記可撓性印刷配線基板および前記子回路基板は、前記ハウジング中に配置されていることを特徴とするリムーバブル無線ネットワークカード。
【請求項２】
前記子回路基板に配置され、前記リムーバブル無線ネットワークカードと、コンピュータシステムとを接続するＵＳＢプラグをさらに備えることを特徴とする請求項１に記載のリムーバブル無線ネットワークカード。
【請求項３】
前記子回路基板に配置され、前記リムーバブル無線ネットワークカードと、前記コンピュータシステムとを接続するエクスプレスカードプラグをさらに備えることを特徴とする請求項１に記載のリムーバブル無線ネットワークカード。
【請求項４】
前記無線ネットワークのエクスプレスミニＰＣＩカードモジュールは、前記インタフェースカード回路基板の一側の両面に配置された複数の接触ピンを含むことを特徴とする請求項１に記載のリムーバブル無線ネットワークカード。
【請求項５】
前記可撓性印刷配線基板は、前記両面の一方の面に設けられた前記接触ピンと接続されていることを特徴とする請求項４に記載のリムーバブル無線ネットワークカード。
【考案の詳細な説明】
【技術分野】
【０００１】
本考案は、無線ネットワークレシーバに関し、特にリムーバブル無線ネットワークカードの構造に関する。
【背景技術】
【０００２】
情報技術の発展に伴い、コンピュータ製品の応用も徐々に普及し、その周辺電子機器とそれが有する機能も次第に多くなってきているため、コンピュータシステムおよびその周辺装置の接続インターフェースは、標準インターフェイスに統一する必要がでてきた。例えば、エクスプレスミニＰＣＩカード（Ｅｘｐｒｅｓｓ  Ｍｉｎｉ  Ｐｅｒｉｐｈｅｒａｌ  Ｃｏｍｐｏｎｅｎｔ  Ｉｎｔｅｒｃｏｎｎｅｃｔｉｏｎ  Ｃａｒｄ：Ｅｘｐｒｅｓｓ  Ｍｉｎｉ  ＰＣＩ  Ｃａｒｄ）は、一般の接続インターフェースである。
【０００３】
現在のコンピュータシステムは、無線ネットワークのニーズを満たすために次第に大きくなってきており、無線ネットワークカードなどの無線ネットワーク装置は、すでに広く普及した周辺装置となっている。しかし、無線ネットワークカードは、認証費用が高く、開発期間が長かったため、その開発および生産にかかるコストを有効に低減させる無線ネットワークカードが求められていた。
【０００４】
図１を参照する。図１は、従来の無線ネットワークのエクスプレスミニＰＣＩカードモジュールを示す斜視図である。無線ネットワークのエクスプレスミニＰＣＩカードモジュール１００は、エクスプレスミニＰＣＩ（Ｅｘｐｒｅｓｓ  Ｍｉｎｉ  Ｐｅｒｉｐｈｅｒａｌ  Ｃｏｍｐｏｎｅｎｔ  Ｉｎｔｅｒｃｏｎｎｅｃｔｉｏｎ：Ｅｘｐｒｅｓｓ  Ｍｉｎｉ  ＰＣＩ）の標準規格を満たし、無線ネットワーク機能を備えたインタフェースカード装置である。
【０００５】
無線ネットワークのエクスプレスミニＰＣＩカード１００（以下「無線ネットワークのエクスプレスミニＰＣＩカードモジュール」という）中には、インタフェースカード回路基板１１０が含まれている。インタフェースカード回路基板１１０上には、複数の接続ピン１２０（ｃｏｎｔａｃｔ  ｐｉｎ）と、無線ネットワーク機能を提供する複数の部品とが配置されている。無線ネットワークのエクスプレスミニＰＣＩカードモジュール１００は、ノートブック型パソコンに内蔵することが可能であり、システムの接続装置を介して接続ピン１２０とシステム側とを接続し、無線ネットワーク機能を提供することができる。
【考案の開示】
【考案が解決しようとする課題】
【０００６】
無線ネットワークのエクスプレスミニＰＣＩカードモジュールは、開発費用が高くて開発期間が長い上に、認証費用が多くかかった。そのため、本考案の目的は、認証を受けた無線ネットワークのエクスプレスミニＰＣＩカードモジュールを、リムーバブル無線ネットワークカードなど、様々な無線ネットワークに関する製品に利用することが可能な上、無線ネットワークの製品開発コストを低減させることが可能なリムーバブル無線ネットワークカードを提供することにある。
【課題を解決するための手段】
【０００７】
（１）  ハウジングと、インタフェースカード回路基板を含む無線ネットワークのエクスプレスミニＰＣＩカードモジュールと、子回路基板と、前記インタフェースカード回路基板と、前記子回路基板とを接続する可撓性印刷配線基板と、を備え、前記無線ネットワークのエクスプレスミニＰＣＩカードモジュール、前記可撓性印刷配線基板および前記子回路基板は、前記ハウジング中に配置されていることを特徴とするリムーバブル無線ネットワークカード。
【０００８】
（２）  前記子回路基板に配置され、前記リムーバブル無線ネットワークカードと、コンピュータシステムとを接続するＵＳＢプラグをさらに備えることを特徴とする（１）に記載のリムーバブル無線ネットワークカード。
【０００９】
（３）  前記子回路基板に配置され、前記リムーバブル無線ネットワークカードと、前記コンピュータシステムとを接続するエクスプレスカードプラグをさらに備えることを特徴とする（１）に記載のリムーバブル無線ネットワークカード。
【００１０】
（４）  前記無線ネットワークのエクスプレスミニＰＣＩカードモジュールは、前記インタフェースカード回路基板の一側の両面に配置された複数の接触ピンを含むことを特徴とする（１）に記載のリムーバブル無線ネットワークカード。
【００１１】
（５）  前記可撓性印刷配線基板は、前記両面の一方の面に設けられた前記接触ピンと接続されていることを特徴とする（４）に記載のリムーバブル無線ネットワークカード。
【考案の効果】
【００１２】
本考案の無線ネットワークのエクスプレスミニＰＣＩカードモジュールをリムーバブル無線ネットワークカードに利用することにより、リムーバブル無線ネットワークカードの開発コストを有効に低減させることができる。子回路基板は、異なるサイズおよび機能を有するように設計してもよく、無線ネットワークのエクスプレスミニＰＣＩカードモジュールは、リムーバブル無線ネットワークカードの様々なタイプに応じ、子回路基板を用いて電気機能を変換したり外観を変えたりすることができる。
【考案を実施するための最良の形態】
【００１３】
以下、本考案の実施形態を図面に基づいて説明する。なお、これにより本考案が限定されるものではない。
【００１４】
（第１実施形態）
図２を参照する。図２は、本考案の第１実施形態によるリムーバブル無線ネットワークカードを示す分解斜視図である。リムーバブル無線ネットワークカード２００は、挿抜式の無線ネットワークカードでもよい。リムーバブル無線ネットワークカード２００は、ハウジング２１０と、無線ネットワークのエクスプレスミニＰＣＩカードモジュール２２０と、子回路基板２３０と、無線ネットワークのエクスプレスミニＰＣＩカードモジュール２２０と子回路基板２３０とを接続する可撓性印刷配線基板２４０と、を含む。ハウジング２１０は、互いに係合することが可能な上蓋２１２と下蓋２１４とを含み、無線ネットワークのエクスプレスミニＰＣＩカードモジュール２２０、可撓性印刷配線基板２４０および子回路基板２３０は、ハウジング２１０中に配置されている。
【００１５】
リムーバブル無線ネットワークカード２００は、子回路基板２３０上に配置されたエクスプレスカードプラグ（ｅｘｐｒｅｓｓ  ｃａｒｄ  ｐｌｕｇ）２３２をさらに含み、エクスプレスカードプラグ２３２を介してリムーバブル無線ネットワークカード２００とコンピュータシステムとを接続させる。子回路基板２３０上には、変換回路がさらに含まれてもよい。
【００１６】
可撓性印刷配線基板２４０は、組み立ての自由度が高い上に、その占有空間が小さい。そのため、第１実施形態では、可撓性印刷配線基板２４０を用いて無線ネットワークのエクスプレスミニＰＣＩカードモジュール２２０と子回路基板２３０とが接続されている。リムーバブル無線ネットワークカード２００は、異方導電性フィルム（Ａｎｉｓｏｔｒｏｐｉｃ  Ｃｏｎｄｕｃｔｉｖｅ  Ｆｉｌｍ：ＡＣＦ）（図示せず）をさらに含んでもよい。この異方導電性フィルムは、可撓性印刷配線基板２４０の両端に配置され、この異方導電性フィルムを介して可撓性印刷配線基板２４０、無線ネットワークのエクスプレスミニＰＣＩカードモジュール２２０および子回路基板２３０を接続させる。
【００１７】
無線ネットワークのエクスプレスミニＰＣＩカードモジュール２２０は、インタフェースカード回路基板２２２および複数の接触ピン２２４を含む。エクスプレスミニＰＣＩカード規格の接触ピン２２４は、両面接点であり、インタフェースカード回路基板２２２の一側の両面に配置される。第１実施形態では、同一面に接触ピン２２４を集中させてもよい。これにより、第１実施形態は、１枚の可撓性印刷配線基板２４０と、両面の一方の面に設けられた接触ピン２２４とを接続し、コストを有効に低減させることができる。
【００１８】
（第２実施形態）
図３を参照する。図３は、本考案の第２実施形態によるリムーバブル無線ネットワークカードを示す分解斜視図である。リムーバブル無線ネットワークカード３００は、ＵＳＢドングル（Ｕｎｉｖｅｒｓａｌ  Ｓｅｒｉａｌ  Ｂｕｓ  Ｄｏｎｇｌｅ：ＵＳＢ  Ｄｏｎｇｌｅ）式の無線ネットワークカードでもよい。リムーバブル無線ネットワークカード３００は、ハウジング３１０、無線ネットワークのエクスプレスミニＰＣＩカードモジュール３２０、子回路基板３３０および可撓性印刷配線基板３４０を含む。ハウジング３１０は、多数の部品３１０ａ、３１０ｂ、３１０ｃ、３１０ｄ、３１０ｅからなる。無線ネットワークのエクスプレスミニＰＣＩカードモジュール３２０、子回路基板３３０および可撓性印刷配線基板３４０は、ハウジング３１０中に配置されている。
【００１９】
リムーバブル無線ネットワークカード３００は、子回路基板３３０上に配置されたＵＳＢプラグ（Ｕｎｉｖｅｒｓａｌ  Ｓｅｒｉａｌ  Ｂｕｓ  Ｐｌｕｇ：ＵＳＢ  Ｐｌｕｇ）３３４をさらに含み、このＵＳＢプラグ３３４を介してリムーバブル無線ネットワークカード３００と、コンピュータシステムとを接続させてもよい。子回路基板３３０上には変換回路がさらに含まれる。
【００２０】
リムーバブル無線ネットワークカード３００は、ハウジング３１０中に設けられた基板３５０をさらに有する。基板３５０の両側には、無線ネットワークのエクスプレスミニＰＣＩカードモジュール３２０と、子回路基板３３０とがそれぞれ配置されている。無線ネットワークのエクスプレスミニＰＣＩカードモジュール３２０と子回路基板３３０とは、可撓性印刷配線基板３４０により接続されてもよい。可撓性印刷配線基板３４０の両端には、異方導電性フィルムを介して無線ネットワークのエクスプレスミニＰＣＩカードモジュール３２０と、子回路基板３３０とが接続されてもよい。
【００２１】
上述したことから分かるように、本考案には以下の長所を有する。本考案は、無線ネットワークのエクスプレスミニＰＣＩカードモジュールをリムーバブル無線ネットワークカードに利用することにより、リムーバブル無線ネットワークカードの開発コストを有効に低減させることができる。子回路基板は、異なるサイズおよび機能を備えるように設計してもよく、無線ネットワークのエクスプレスミニＰＣＩカードモジュールは、リムーバブル無線ネットワークカードの様々なタイプに応じ、子回路基板を用いて電気機能や外観を変えてもよい。
【００２２】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【図面の簡単な説明】
【００２３】
【図１】従来の無線ネットワークのエクスプレスミニＰＣＩカードモジュールを示す斜視図である。
【図２】本考案の第１実施形態によるリムーバブル無線ネットワークカードを示す分解斜視図である。
【図３】本考案の第２実施形態によるリムーバブル無線ネットワークカードを示す分解斜視図である。
【符号の説明】
【００２４】
１００…無線ネットワークのエクスプレスミニＰＣＩカードモジュール、  １１０…インタフェースカード回路基板、  １２０…接続ピン、  ２００…リムーバブル無線ネットワークカード、  ２１０…ハウジング、  ２１２…上蓋、  ２１４…下蓋、  ２２０…無線ネットワークのエクスプレスミニＰＣＩカードモジュール、  ２２２…インタフェースカード回路基板、  ２２４…接触ピン、  ２３０…子回路基板、  ２３２…エクスプレスカードプラグ、  ２４０…可撓性印刷配線基板、  ３００…リムーバブル無線ネットワークカード、  ３１０…ハウジング、  ３１０ａ…部品、  ３１０ｂ…部品、  ３１０ｃ…部品、  ３１０ｄ…部品、  ３１０ｅ…部品、  ３２０…無線ネットワークのエクスプレスミニＰＣＩカードモジュール、  ３３０…子回路基板、  ３３４…ＵＳＢプラグ、  ３４０…可撓性印刷配線基板、  ３５０…基板。
【図１】
0003145966.tif 000003
【図２】
0003145966.tif 000004
【図３】
0003145966.tif 000005